【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  遠見視力矯正屈折力を有しかつ眼網膜への集光に適合した光学素子12,112,212と、この光学素子12,112,212に結合した可動アッセンブリー14,114,214とを含んでなる眼内レンズ10,110,210であって、
可動アッセンブリー14,114,214は、眼と共働して、眼水晶体嚢による径方向の圧縮によって光学素子12,112,212を調節運動させるような構造を有しており、
可動アッセンブリー14,114,214は、光学素子12,112,212を包囲しており、かつ、光学素子12,112,212に結合した基部端部領域16,116,216と、光学素子12,112,212から離れる方向に延在しかつ眼水晶体嚢に接触するのに適合した末梢端部領域20,120とを含む部材を含んでなることを特徴とする眼内レンズ10,110,210。
【請求項２】  可動アッセンブリー14,114,214は、眼内レンズ10,110,210がレスト位置の状態で、光学素子12,112,212が可動アッセンブリー末梢端部領域20,120の前方にアーチ形態を形成するように、当該光学素子12,112,212に対して配置する請求項1記載の眼内レンズ10,110,210。
【請求項３】  光学素子12,112,212は、非調節状態で、無限大の遠見視力矯正屈折力を有する請求項1記載の眼内レンズ10,110,210。
【請求項４】  可動アッセンブリー14,114,214の末梢端部領域20,120は、眼内レンズ10,110,210の前方および後方において眼細胞の増殖を抑制しうるような形態の周辺縁部22,122,222を有する請求項2記載の眼内レンズ10,110,210。
【請求項５】  当該眼内レンズ10,110,210は、その眼前方への軸方向移動の程度が約0.5〜約2.0mmであって、水晶体嚢の赤道部直径の減少程度が約1mmであるような寸法を有する請求項1記載の眼内レンズ10,110,210。
【請求項６】  当該眼内レンズ10,110,210は、変形可能であって、眼の小さい切れ目を通って挿入することができる請求項1記載の眼内レンズ10,110,210。
【請求項７】  可動アッセンブリー14,114,214は、光学素子12,112,212の可動アッセンブリー末梢端部領域20,120に対する移動を眼の作動によって促進するのに充分なほどに、フレキシブルである請求項1記載の眼内レンズ10,110,210。
【請求項８】  可動アッセンブリー14,114,214は、その基部端部領域16,116,216において最小の厚みを有し、かつ、その末梢端部領域20,120において最大の厚み有する請求項7記載の眼内レンズ10,110,210。
【請求項９】  可動アッセンブリー14,214は、その末梢端部領域20,220の基部に配置したヒンジアッセンブリー30,80を含む請求項1記載の眼内レンズ10,210。
【請求項１０】  可動アッセンブリー114は、減少した厚みを有しかつ光学素子112を包囲する領域を、有する請求項1記載の眼内レンズ110。
【請求項１１】  眼網膜への集光に適合した光学素子12,112,212と、この光学素子12,112,212に結合した可動アッセンブリー14,114,214とを含んでなる眼内レンズ10,110,210であって、
可動アッセンブリー14,114,214は、眼と共働して、眼水晶体嚢による径方向の圧縮によって光学素子12,112,212を調節運動させるような構造を有しており、
可動アッセンブリー14,114,214は、光学素子12,112,212を包囲しており、かつ、光学素子12,112,212に結合した基部端部領域16,116,216と、光学素子12,112,212から離れる方向に延在しかつ眼水晶体嚢に接触するのに適合した末梢端部領域20,120とを含む部材を含んでなり、
可動アッセンブリー14,114,214は、眼内レンズ10,110,210がレスト位置の状態で、光学素子12,112,212が可動アッセンブリー末梢端部領域20,120の前方にアーチ形態を形成するような、構造を有する
ことを特徴とする眼内レンズ10,110,210。
【請求項１２】  光学素子12,112,212は、非調節状態で、無限大の遠見視力矯正屈折力を有する請求項11記載の眼内レンズ10,110,210。
【請求項１３】  可動アッセンブリー14,114,214の末梢端部領域20,120は、眼内レンズ10,110,210の前方および後方において眼細胞の増殖を抑制しうるような形態の周辺縁部22,122,222を有する請求項2記載の眼内レンズ10,110,210。
【請求項１４】  当該眼内レンズ10,110,210は、その眼前方への軸方向移動の程度が約0.5〜約2.0mmであって、水晶体嚢の赤道部直径の減少程度が約1mmであるような寸法を有する請求項11記載の眼内レンズ10,110,210。
【請求項１５】  光学素子12,112,212は、約3.5〜約7mmの直径を有し、かつ、眼内レンズ10,110,210は、約8〜約11mmの全径（全直径）を有する請求項11記載の眼内レンズ10,110,210。
【請求項１６】  可動アッセンブリー14,114,214は、眼内レンズ10,110,210を含む眼の水晶体嚢に付着するのに適合している請求項11記載の眼内レンズ10,110,210。
【請求項１７】  可動アッセンブリー14, 214は、その末梢端部領域20,220の基部に配置したヒンジアッセンブリー30,80を含む請求項11記載の眼内レンズ10,210。
【請求項１８】  可動アッセンブリー114は、その基部端部領域116において最小の厚みを有し、かつ、その末梢端部領域120において最大の厚み有する請求項11記載の眼内レンズ110。
【請求項１９】  眼網膜への集光に適合した光学素子12,112,212と、この光学素子12,112,212に結合した可動アッセンブリー14,114,214とを含んでなる眼内レンズ10,110,210であって、
可動アッセンブリー14,114,214は、眼と共働して、光学素子12,112,212を調節運動させるような構造を有しており、
可動アッセンブリー14,114,214は、光学素子12,112,212を包囲しており、かつ、光学素子12,112,212に結合した基部端部領域16,116,216と、光学素子12,112,212から離れる方向に延在しかつ眼水晶体嚢に接触するのに適合した末梢端部領域20,120,220とを含む部材を含んでなり、
可動アッセンブリー14,114,214の末梢端部領域20,120,220は、眼内レンズ10,110,210の前方および後方において眼細胞の増殖を抑制しうるような形態の周辺縁部22,122,222を有することを特徴とする眼内レンズ10,110,210。
【請求項２０】  可動アッセンブリー14は、前面24および対向後面26を有すると共に、これらの面の間に存在する周辺縁部22を有し、
周辺縁部22と、前面および後面の少なくとも１つの面との交差によって、当該周辺縁部22,と、交差面との間において不連続的に位置する周辺コーナー41,43を形成する請求項19記載の眼内レンズ10。
【請求項２１】  眼内レンズ10の前面または後面において、眼細胞の増殖は、周辺コーナー41,43を有しない実質的に同じ眼内レンズよりも、より抑制されている請求項20記載の眼内レンズ10。
【請求項２２】  光学素子12,112,212は、非調節状態で、無限大の遠見視力矯正屈折力を有する請求項19記載の眼内レンズ10,110,210。
【請求項２３】  当該眼内レンズ10,110,210は、その眼前方への軸方向移動の程度が約0.5〜約2.0mmであって、水晶体嚢の赤道部直径の減少程度が約1mmであるような寸法を有する請求項19記載の眼内レンズ10,110,210。
【請求項２４】  当該眼内レンズ10,110,210は、変形可能であって、眼の小さい切れ目を通って挿入することができる請求項19記載の眼内レンズ10,110,210。
【請求項２５】  可動アッセンブリー14,214は、その末梢端部領域20,220の基部に配置したヒンジアッセンブリー30,80を含む請求項19記載の眼内レンズ10,210。